(57)【要約】  地点情報提供システムにおいて、表示部と、自機の位置を特定する位置特定部と、前記位置特定部により特定された位置と、予め定められた特定地点との距離が、前記表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御する表示制御部と、を備える。
2018230656.tif 000002
【特許請求の範囲】
【請求項１】
表示部と、
自機の位置を特定する位置特定部と、
前記位置特定部により特定された位置と、予め定められた特定地点との距離が、前記表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御する表示制御部と、を備える、
地点情報提供システム。
【請求項２】
前記表示制御部は、前記特定地点の関連情報の少なくとも一部をマスクして存在を知らせる画像を、前記地図上の前記特定地点に対応付けた位置に表示するように前記表示部を制御する、
請求項１に記載の地点情報提供システム。
【請求項３】
前記表示制御部は、利用者の興味または嗜好の少なくとも一方に対応する特定地点の関連情報の少なくとも一部をマスクして存在を知らせる画像を前記地図上に表示するように前記表示部の制御する、
請求項１または２に記載の地点情報提供システム。
【請求項４】
表示部と、
自機の位置を特定する位置特定部と、
前記位置特定部により特定された位置が、前記表示部に表示される地図範囲に対応して大きくなる基準領域内である場合に、予め定められた特定地点の関連情報の少なくとも一部をマスクして存在を知らせる画像を前記表示部に表示される地図上に表示するように前記表示部を制御する表示制御部と、を備える、
地点情報提供システム。
【請求項５】
実空間を撮像する撮像部と、
表示部と、
自機の位置を特定する位置特定部と、
前記位置特定部により特定された位置と、予め定められた特定地点との距離が、画角が大きくなるのに応じて大きくなる基準距離以内である場合、前記特定地点の関連情報の少なくとも一部をマスクして存在を知らせる画像を前記撮像部のスルー画像に重畳して表示するように前記表示部を制御する表示制御部と、を備える、
地点情報提供システム。
【請求項６】
前記表示制御部は、更に、前記位置特定部により特定された位置と、予め定められた特定地点との距離が、前記表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御する機能を備え、
前記特定地点の関連情報の少なくとも一部をマスクして存在を知らせる画像を前記地図上に表示する表示パターンと、前記特定地点の存在を知らせる画像を前記撮像部のスルー画像上に重畳して表示する表示パターンとが切り替え可能となるように前記表示部を制御する、
請求項５に記載の地点情報提供システム。
【請求項７】
目的地の入力を受け付ける受付部を更に備え、
前記表示制御部は、前記位置特定部により特定された位置から前記受付部により受け付けられた目的地までの経路から所定距離内にある特定地点を取得し、取得した特定地点を経由する経路と、前記特定地点の関連情報の少なくとも一部をマスクして存在を知らせる画像とを前記地図上に表示するように前記表示部を制御する、
請求項１から４のうち、何れか１項に記載の地点情報提供システム。
【請求項８】
前記受付部は、更に、前記特定地点の種別および前記種別の優先度の入力を受け付け、
前記表示制御部は、前記受付部により受け付けられた前記特定地点に関する種別および前記種別の優先度に基づいて旅程を生成し、生成した旅程に関する情報を前記地図上に表示するように、前記表示部を制御する、
請求項７に記載の地点情報提供システム。
【請求項９】
コンピュータが、
自機の位置を特定し、
特定された位置と、予め定められた特定地点との距離が、表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御する、
地点情報提供方法。
【請求項１０】
コンピュータに、
自機の位置を特定させ、
特定された位置と、予め定められた特定地点との距離が、表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御させる、
プログラム。
【発明の詳細な説明】
【技術分野】
【０００１】
本発明は、地点情報提供システム、地点情報提供方法、およびプログラムに関する。
本願は、２０１７年６月１６日に、日本に出願された特願２０１７−１１９０２２号に基づき優先権を主張し、その内容をここに援用する。
【背景技術】
【０００２】
従来では、路上施設やランドマークが密集し、そのアイコンが多数表示されるような状況において、重要度の高いアイコンを優先的に表示し、重要度の低いアイコンを表示しないようにする技術が開示されている（例えば、特許文献１参照）。
【先行技術文献】
【特許文献】
【０００３】
【特許文献１】特開２００８−１７５７１５号公報
【発明の概要】
【発明が解決しようとする課題】
【０００４】
しかしながら、従来の技術では、利用者をその地点に向かわせる動機付けとなるような情報の表示は行われていなかった。本発明は、このような事情を考慮してなされたものであり、利用者の特定の地点への興味を喚起し、その地点に立ち寄る動機を与えることができる地点情報提供システム、地点情報提供方法、およびプログラムを提供することを目的の一つとする。
【課題を解決するための手段】
【０００５】
この発明に係る地点情報提供システム、地点情報提供方法、およびプログラムは、以下の構成を採用した。
（１）：この発明の一態様に係る地点情報提供システムは、表示部（１４０）と、自機の位置を特定する位置特定部（１２０）と、前記位置特定部により特定された位置と、予め定められた特定地点との距離が、前記表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御する表示制御部（１３０）と、を備える地点情報提供システムである。【０００６】
（２）：上記（１）の態様において、前記表示制御部は、前記特定地点の関連情報の少なくとも一部をマスクして存在を知らせる画像を、前記地図上の前記特定地点に対応付けた位置に表示するように前記表示部を制御するものである。【０００７】
（３）：上記（１）または（２）の態様において、前記表示制御部は、利用者の興味または嗜好の少なくとも一方に対応する特定地点の関連情報の少なくとも一部をマスクして存在を知らせる画像を前記地図上に表示するように前記表示部の制御するものである。【０００８】
（４）：この発明の一態様に係る地点情報提供システムは、表示部と、自機の位置を特定する位置特定部と、前記位置特定部により特定された位置が、前記表示部に表示される地図範囲に対応して大きくなる基準領域内である場合に、予め定められた特定地点の関連情報の少なくとも一部をマスクして存在を知らせる画像を前記表示部に表示される地図上に表示するように前記表示部を制御する表示制御部と、を備える地点情報提供システムである。【０００９】
（５）：この発明の一態様に係る地点情報提供システムは、実空間を撮像する撮像部（１５０）と、表示部と、自機の位置を特定する位置特定部と、前記位置特定部により特定された位置と、予め定められた特定地点との距離が、画角が大きくなるのに応じて大きくなる基準距離以内である場合、前記特定地点の関連情報の少なくとも一部をマスクして画像を前記撮像部のスルー画像に重畳して表示するように前記表示部を制御する表示制御部と、を備える地点情報提供システムである。【００１０】
（６）：上記（５）の態様において、前記表示制御部は、更に、前記位置特定部により特定された位置と、予め定められた特定地点との距離が、前記表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御する機能を備え、前記特定地点の関連情報の少なくとも一部をマスクして存在を知らせる画像を前記地図上に表示する表示パターンと、前記特定地点の存在を知らせる画像を前記撮像部のスルー画像上に重畳して表示する表示パターンとが切り替え可能となるように前記表示部を制御するものである。【００１１】
（７）：上記（１）〜（４）のうち、何れか一つの態様において、目的地の入力を受け付ける受付部（１４０）を更に備え、前記表示制御部は、前記位置特定部により特定された位置から前記受付部により受け付けられた目的地までの経路から所定距離内にある特定地点を取得し、取得した特定地点を経由する経路と、前記特定地点の関連情報の少なくとも一部をマスクして存在を知らせる画像とを前記地図上に表示するように前記表示部を制御するものである。【００１２】
（８）：上記（７）の態様において、前記受付部は、更に、前記特定地点の種別および前記種別の優先度の入力を受け付け、前記表示制御部は、前記受付部により受け付けられた前記特定地点に関する種別および前記種別の優先度に基づいて旅程を生成し、生成した旅程に関する情報を前記地図上に表示するように、前記表示部を制御するものである。【００１３】
（９）：この発明の一態様に係る地点情報提供方法は、コンピュータが、自機の位置を特定し、特定された位置と、予め定められた特定地点との距離が、表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御する、地点情報提供方法である。【００１４】
（１０）：この発明の一態様に係るプログラムは、コンピュータに、自機の位置を特定させ、特定された位置と、予め定められた特定地点との距離が、表示部に表示される地図範囲に対応して大きくなる基準距離以内である場合、前記特定地点の関連情報の少なくとも一部をマスクして存在を知らせる画像を前記表示部に表示される地図上に表示するように前記表示部を制御させる、プログラムである。
【発明の効果】
【００１５】
（１）、（９）または（１０）によれば、利用者の特定の地点への興味を喚起し、その地点に立ち寄る動機を与えることができる。【００１６】
（２）によれば、地点情報提供システムは、特定の地点の位置を明確に利用者に伝えることができる。【００１７】
（３）によれば、地点情報提供システムは、利用者の興味や嗜好に即した特定の地点を提供することができる。【００１８】
（４）によれば、地点情報提供システムは、利用者が基準領域内に入ったことを条件として、基準領域内の特定の地点の存在を示す画像を表示させることができる。そのため、利用者の特定の地点への興味を喚起し、その地点に立ち寄る動機を与えることができる。【００１９】
（５）によれば、地点情報提供システムは、表示部に表示された実空間上の物体に対応付けて特定の地点の存在を示す画像を表示することで、特定の地点を利用者に容易に把握させることができる。そのため、利用者の特定の地点への興味を喚起し、その地点に立ち寄る動機を与えることができる。【００２０】
（６）によれば、ユーザは、地図上に表示される特定の地点と、スルー画像上に重畳して表示される特定の地点とを、好みに応じて切り替えることができる。【００２１】
（７）によれば、地点情報提供システムは、特定の地点に立ち寄るための寄り道経路を表示することで、利用者の特定の地点への興味を喚起し、その地点に立ち寄る動機を与えることができる。【００２２】
（８）によれば、地点情報提供システムは、利用者により設定された設定情報に対応させた旅程を提供することができる。
【図面の簡単な説明】
【００２３】
【図１】第１の実施形態の地点情報提供システムの構成例を示す図である。
【図２】地点情報の内容の一例を示す図である。
【図３】アプリ実行部とサーバ装置との協働による地図および地点情報の提供サービスについて説明する図である。
【図４】縮尺分母ｒと基準距離との関係を説明するための図である。
【図５】地点情報の表示制御の具体例について説明するための図（その１）である。
【図６】地点情報の表示制御の具体例について説明するための図（その２）である。
【図７】行動履歴情報の内容の一例を示す図である。
【図８】第１の実施形態の地点情報提供処理の流れの一例を示すフローチャートである。
【図９】第２の実施形態の地点情報提供システムの構成例を示す図である。
【図１０】利用者情報の内容の一例を示す図である。
【図１１】興味嗜好情報設定画面の一例を示す図である。
【図１２】基準領域に基づくアイコンの表示制御について説明するための図である。
【図１３】タッチパネルに撮像画像および特定の地点の存在を知らせるアイコンを表示した例を示す図である。
【図１４】第５の実施形態の地点情報提供システムの構成例を示す図である。
【図１５】最短時間で目的地に到着する経路の表示例を示す図である。
【図１６】特定の地点付近を経由する寄り道経路の表示例を示す図である。
【図１７】種別および優先度の設定情報について説明するための図である。
【図１８】経路探索部が生成する旅程情報の一例を示す図である。
【発明を実施するための形態】
【００２４】
以下、図面を参照し、本発明の地点情報提供システム、地点情報提供方法、およびプログラムについて説明する。
【００２５】
［第１の実施形態］
図１は、第１の実施形態の地点情報提供システム１の構成例を示す図である。地点情報提供システム１は、例えば、一以上の端末装置１００と、サーバ装置２００とを備える。端末装置１００とサーバ装置２００は、ネットワークＮＷを介して通信を行う。ネットワークＮＷは、例えば、無線基地局、Ｗｉ−Ｆｉアクセスポイント、通信回線、プロバイダ、インターネット等を含む。
【００２６】
端末装置１００は、例えば、スマートフォンまたはタブレット端末等の可搬型端末装置である。また、端末装置１００は、ＨＭＤ（Head Mounted Display）やウェアラブルグラス等の装着型端末でもよいし、車両に搭載される据え置き型のナビゲーション装置であってもよい。
【００２７】
端末装置１００は、例えば、通信部１１０と、位置特定部１２０と、アプリ実行部１３０と、タッチパネル１４０と、撮像部１５０と、記憶部１６０とを備える。位置特定部１２０とアプリ実行部１３０は、ＣＰＵ（Central Processing Unit）等のハードウェアプロセッサがプログラム（ソフトウェア）を実行することで実現される。また、位置特定部１２０およびアプリ実行部１３０のうち一方または双方は、ＬＳＩ（Large Scale Integration）やＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。プログラムは、予めＨＤＤ（Hard Disk Drive）やフラッシュメモリ等の記憶装置（例えば、記憶部１６０）に格納されていてもよいし、ＤＶＤやＣＤ−ＲＯＭ等の着脱可能な記憶媒体に格納されており、記憶媒体がドライブ装置（不図示）に装着されることで記憶装置にインストールされてもよい。また、アプリ実行部１３０および地点情報提供部２３０のうち一方または双方が「表示制御部」の一例である。また、タッチパネル１４０は、「表示部」と「受付部」とを組み合わせて一体にしたものである。
【００２８】
通信部１１０は、ネットワークＮＷを介して、サーバ装置２００と通信する。通信部１１０は、例えば、無線通信モジュール等の通信インターフェースである。
【００２９】
位置特定部１２０は、端末装置（自機）１００の位置を特定する。位置特定部１２０は、例えば、ＧＮＳＳ（Global Navigation Satellite System）衛星から受信した信号に基づいて、端末装置１００の位置（例えば、緯度、経度、高度）を特定する。また、位置特定部１２０は、無線基地局の位置と電波強度等に基づいて端末装置１００の位置を特定してもよい。
【００３０】
アプリ実行部１３０は、記憶部１６０に記憶されたナビアプリ１６２が実行されることで実現される。ナビアプリ１６２とは、例えば、利用者によって指定された地点に対応する地図を提供したり、所定の条件に基づき特定の地点を提供するためのアプリケーションプログラムである。以下、利用者によって指定された地点を示す情報を、指定地点情報と称する。利用者は、例えば、地図を見ながらスクロール操作や地名の入力操作を行い、自分が見たい地点を端末装置１００に指示する。これによって指示された地点が、指定地点情報である。アプリ実行部１３０の機能の詳細については後述する。
【００３１】
タッチパネル１４０は、ＬＣＤ（Liquid Crystal Display）や有機ＥＬ（Electro Luminescence）表示装置であり、地図や画像を表示する機能と、表示面に対する利用者の指の位置を検出する機能とを備える。
【００３２】
撮像部１５０は、例えば、ＣＣＤ（Charge Coupled Device）やＣＭＯＳ（Complementary Metal Oxide Semiconductor）等の固体撮像素子を利用したデジタルカメラである。
【００３３】
記憶部１６０は、ＲＯＭ（Read Only Memory）やＲＡＭ（Random Access Memory）、フラッシュメモリ等で実現される。記憶部１６０には、例えば、アプリ実行部１３０が実行するナビアプリ１６２、ダウンロード地図１６４、およびダウンロード地点情報１６６が格納される。
【００３４】
ダウンロード地図１６４は、利用者によって指定された地点を中心とした所定範囲の地図である。所定範囲とは、指定地点情報を中心とした半径が所定距離（例えば、０．１［ｋｍ］、１［ｋｍ］、１０［ｋｍ］、１００［ｋｍ］）の範囲である。
【００３５】
ダウンロード地点情報１６６には、ダウンロード地図１６４の地図領域（地図範囲）内の地点情報が含まれる。地点情報とは、例えば、観光地やテーマパーク、食事、イベント等のカテゴリーに分類された特定の地点に関する情報である。特定の地点に関する情報には、例えば、その地点の属性（例えば、施設属性）、名称（例えば、施設名）、住所、電話番号等の情報が含まれる。
【００３６】
サーバ装置２００は、例えば、通信部２１０と、地図提供部２２０と、地点情報提供部２３０と、記憶部２４０とを備える。地図提供部２２０と地点情報提供部２３０は、ＣＰＵ等のハードウェアプロセッサがプログラムを実行することで実現される。また、地図提供部２２０および地点情報提供部２３０のうち一方または双方は、ＬＳＩやＡＳＩＣ、ＦＰＧＡ等のハードウェアによって実現されてもよいし、ソフトウェアとハードウェアの協働によって実現されてもよい。プログラムは、予めＨＤＤやフラッシュメモリ等の記憶装置（例えば、記憶部２４０）に格納されていてもよいし、ＤＶＤやＣＤ−ＲＯＭ等の着脱可能な記憶媒体に格納されており、記憶媒体がドライブ装置（不図示）に装着されることで記憶装置にインストールされてもよい。
【００３７】
通信部２１０は、ネットワークＮＷを介して、端末装置１００と通信する。通信部２１０は、例えば、ＮＩＣ（Network Interface Card）等の通信インターフェースである。
【００３８】
地図提供部２２０は、指定地点情報を中心とした所定範囲の地図を端末装置１００に送信する。地点情報提供部２３０は、地図提供部２２０により提供された地図の領域に含まれる地点情報を端末装置１００に送信する。地図提供部２２０および地点情報提供部２３０の機能の詳細については後述する。
【００３９】
記憶部２４０は、ＲＯＭやＲＡＭ、ＨＤＤ、フラッシュメモリ等で実現される。記憶部２４０には、例えば、地図情報２４２、地点情報２４４、および行動履歴情報２４６が格納される。地図情報２４２は、例えば、各都道府県、日本全国、外国等の範囲を持った地図である。また、地図情報２４２には、例えば、地図座標に対応付けられた道路情報や建物情報、建物の住所情報（住所・郵便番号）、観光情報が含まれる。
【００４０】
地点情報２４４は、例えば、地図情報２４２の地図座標に対応付けられた特定の地点の情報である。図２は、地点情報２４４の内容の一例を示す図である。地点情報２４４は、特定の地点の識別情報である地点ＩＤに、位置と、種別と、名称とが対応付けられた情報である。種別情報は、例えば、観光地、テーマパーク、食事等のジャンルやイベント等のカテゴリーに関する情報である。名称は、特定の地点に対応付けられた施設、建物、店舗等の名称である。
【００４１】
行動履歴情報２４６は、例えば、端末装置１００を所有する利用者の行動履歴である。行動履歴には、例えば、利用者が滞在したと推定される特定の地点に関する情報が含まれる。
【００４２】
［地図および地点情報の提供］
次に、アプリ実行部１３０とサーバ装置２００との協働による地図および地点情報の提供サービスについて説明する。図３は、アプリ実行部１３０とサーバ装置２００との協働による地図および地点情報の提供サービスについて説明する図である。例えば、タッチパネル１４０に表示されたナビアプリ１６２を起動するための画像に対し、利用者が操作を行うと、ナビアプリ１６２が起動される。これによって、アプリ実行部１３０が動作を開始する。アプリ実行部１３０は、タッチパネル１４０に地名等を入力する入力画面を表示し、入力画面から地名の入力指示を受け付けることで、指定地点情報を取得する。アプリ実行部１３０は、取得した指定地点情報をサーバ装置２００に送信する。
【００４３】
サーバ装置２００の地図提供部２２０は、記憶部２４０に記憶された地図情報２４２を参照し、指定地点情報を中心として半径数［ｋｍ］の地図を取得し、取得した地図を端末装置１００に送信する。
【００４４】
アプリ実行部１３０は、サーバ装置２００から取得した所定範囲の地図をダウンロード地図１６４として記憶部１６０に記憶させる。
【００４５】
また、アプリ実行部１３０は、例えば、表示された地図に対する地点情報の表示を行うためのＧＵＩ（Graphical user interface）スイッチをタッチパネル１４０に表示し、利用者によるＧＵＩスイッチの操作を受け付けた場合に、地点情報の取得要求を受け付けたと判定する。地点情報の取得要求を受け付けた場合、アプリ実行部１３０は、指定地点情報に含まれる地点情報の取得要求をサーバ装置２００に送信する。
【００４６】
地点情報提供部２３０は、地点情報の取得要求を受信した場合に、記憶部２４０に記憶された地点情報２４４を参照し、指定地点情報から所定範囲内に存在する地点情報を取得し、取得した地点情報を端末装置１００に送信する。ここでの所定範囲内とは、例えば、地図提供部２２０により端末装置１００に送信された地図の範囲内である。
【００４７】
アプリ実行部１３０は、サーバ装置２００から受信した地点情報を、ダウンロード地点情報１６６として記憶部１６０に記憶させる。
【００４８】
アプリ実行部１３０は、利用者により指定された地図の縮尺を縮尺情報として取得し、取得した縮尺情報に基づいてダウンロード地図１６４の地図を拡大／縮小して表示するように、タッチパネル１４０を制御する。縮尺は、例えば、ピンチイン、ピンチアウト等の操作や、縮尺に対応して表示されるスライドレバーに対する操作で指定される。
【００４９】
また、アプリ実行部１３０は、ユーザにより指定された縮尺でタッチパネル１４０に表示されている地図領域に含まれる地点情報を、ダウンロード地点情報１６６から取得する。また、アプリ実行部１３０は、地点情報の位置と、位置特定部１２０により特定された端末装置１００の位置との距離を算出し、算出された距離が基準距離以内であるか否かを判定する。基準距離とは、例えば、地図範囲に対応して大きくなる距離である。地図範囲を決定する指標の一例としては、地図の縮尺がある。この場合、基準距離は、タッチパネル１４０に地図を表示したときの縮尺に対応付けられた距離であり、縮尺分子を１としたときの縮尺分母が大きくなるのに応じて大きくなるものである。縮尺分母が大きくなるとは、縮尺が小さくなることである。縮尺分母が大きくなるのに応じて、より広域の地図がタッチパネル１４０に表示され、縮尺分母が小さくなるのに応じて、より狭域の地図（拡大した地図）がタッチパネル１４０に表示される。
【００５０】
図４は、縮尺分母ｒと基準距離との関係を説明するための図である。図４の横軸は縮尺分母ｒを示し、縦軸は基準距離ｆ（ｒ）を示す。アプリ実行部１３０は、例えば、縮尺分母が大きくなるのに応じて基準距離が増加傾向を示す少なくとも一つの特性関係に基づいて、縮尺分母に対応する基準距離を導出する。
【００５１】
例えば、図４では、縮尺分母が大きくなるのに応じて基準距離の増加傾向が異なる三つの曲線３００〜３０４を示している。増加傾向が異なるとは、縮尺分母の増加量に対する基準距離の増加量が異なることである。アプリ実行部１３０は、例示したような曲線３００〜３０４、或いは他の特性関係に基づいて、縮尺分母に対応する基準距離を導出する。他の特性関係としては、例えば、都市部や郊外部等における施設情報の疎密度、高低差による目視範囲（見通し距離）等を用いてもよい。
【００５２】
なお、鳥瞰図等の地図では、地図がリニアでない表示態様となる場合がある。「リニアでない表示態様」とは、例えば、地図の最前面が１００［ｍ／ｐｉｘｅｌ］、中央が８０［ｍ／ｐｉｘｅｌ］、後面が４０［ｍ／ｐｉｘｅｌ］のように前面側がリッチ（高密度）な表示態様や、球面または曲面表示等の表示態様である。このような場合、地図範囲を決定する指標は、縮尺ではなく、例えば、表示態様に対応付けられたパラメータ等がＭ値いられる。
【００５３】
アプリ実行部１３０は、地点情報の特定の位置と、位置特定部１２０により特定された端末装置１００の位置との距離が基準距離以内である場合、特定の地点の関連情報の少なくとも一部をマスクして存在を知らせる画像を地図上に表示するようにタッチパネル１４０を制御する。「特定の地点の関連情報の少なくとも一部をマスクする」とは、ダウンロード地点情報１６６から取得した地点情報のうち、名称や住所、電話番号等の情報をマスクすることである。「特定の地点の存在を知らせる画像」とは、例えば、特定の図柄を示すアイコンである。また、特定の地点の存在を知らせる画像は、施設属性を示す画像であってもよい。また、特定の地点の存在を知らせる画像は、利用者により編集されてもよい。これにより、例えば、利用者が特定の地点の詳細情報の検索を目的として、画面に表示された特定の地点の存在を知らせる画像を選択した場合でも、名称や住所、電話番号等のマスクされた情報は表示されない。また、アプリ実行部１３０は、算出された距離が基準距離を超える場合、特定の地点の存在を知らせる画像を地図上に表示しない。
【００５４】
図５および図６は、地点情報の表示制御の具体例について説明するための図（その１、その２）である。例えば、Ａ駅付近を歩いている利用者Ｐが、端末装置１００のナビアプリ１６２を起動し、Ｂ駅を指定地点情報として地図を表示させたとする。
【００５５】
例えば、タッチパネル１４０に縮尺１／２５０００の地図４００が表示されている場合、アプリ実行部１３０は、地図の縮尺に対応する基準距離Ｔｈ１［ｋｍ］を取得し、端末装置１００の位置から特定の地点までの距離Ｘ［ｋｍ］を算出する。そして、アプリ実行部１３０は、算出した距離Ｘが基準距離Ｔｈ１以下である場合に、地図４００上に特定の地点の存在を知らせるアイコン４１０を表示するようにタッチパネル１４０を制御する。例えば、アプリ実行部１３０は、特定の地点に対応する地図４００上の位置にアイコン４１０を表示するようにタッチパネル１４０を制御する。
【００５６】
また、アプリ実行部１３０は、利用者のピンチアウト操作による地図の拡大表示指示を受け付けると、受け付けた指示に応じた縮尺で地図４００を表示するようにタッチパネル１４０を制御する。例えば、図６に示すように、地図の縮尺が１／２５０００から１／１０００に拡大された場合に、アプリ実行部１３０は、縮尺１／１０００に対応する基準距離Ｔｈ２［ｋｍ］を取得する。基準距離Ｔｈ２は、基準距離Ｔｈ１に比して短い距離である。図６の例では、基準距離Ｔｈ２が距離Ｘよりも短いものとする。この場合、アプリ実行部１３０は、端末装置１００の位置から特定の地点までの距離Ｘが基準距離Ｔｈ２を超えるため、特定の地点の存在を知らせるアイコン４１０の表示を行わない。
【００５７】
その後、利用者がアイコン４１０の表示されている方向に移動し、端末装置１００の位置から特定の地点までの距離Ｘが基準距離Ｔｈ２以下になった場合、アプリ実行部１３０は、アイコン４１０を地図４００Ａ上に表示するようにタッチパネル１４０を制御する。これにより、利用者が特定の地点に接近しないと、特定の地点にどのようなものがあるかを把握することができない。このため、利用者のアイコン４１０が表示された地点への興味を喚起し、その地点に立ち寄る動機を与えることができる。
【００５８】
また、アプリ実行部１３０は、利用者がアイコン４１０の表示されている地点付近に到着するとアイコン４１０の表示を終了するように、タッチパネル１４０を制御してもよい。地点付近に到着するとは、端末装置１００の位置と特定の地点との距離が所定距離Ｔｈ３以内となることである。所定距離Ｔｈ３は、基準距離Ｔｈ１およびＴｈ２に比して短い距離であり、例えば数［ｍ］程度の距離である。アプリ実行部１３０は、到着した特定の地点に対応する地点ＩＤと、到着した日時とを対応付けた行動情報をサーバ装置２００に送信する。
【００５９】
サーバ装置２００の地点情報提供部２３０は、端末装置１００から行動情報を受信し、受信した行動情報を、行動履歴情報２４６として記憶部２４０に格納する。図７は、行動履歴情報２４６の内容の一例を示す図である。行動履歴情報２４６は、利用者を識別する利用者ＩＤに、地点ＩＤと到着日時とが対応付けられた情報である。行動履歴情報２４６を記憶することで、滞在する利用者が多い地点や、滞在する回数の多い利用者等の統計情報を取得することができる。
【００６０】
［処理フロー］
図８は、第１の実施形態の地点情報提供処理の流れの一例を示すフローチャートである。ナビアプリ１６２を起動すると、アプリ実行部１３０は、指定地点情報を受け付け（ステップＳ１００）、受け付けた指定地点情報および地点情報取得要求をサーバ装置２００に送信する（ステップＳ１０２）。指定地点情報および地点情報取得要求は、それぞれ異なるタイミングでサーバ装置２００に送信してもよい。
【００６１】
次に、通信部１１０は、サーバ装置２００から指定地点情報を含む所定範囲の地図および地点情報を受信する（ステップＳ１０４）。次に、アプリ実行部１３０は、受信した所定範囲の地図をダウンロード地図１６４として記憶部１６０に記憶し、地図に対応する地点情報をダウンロード地点情報１６６として記憶部１６０に記憶させる（ステップＳ１０６）。
【００６２】
次に、位置特定部１２０は、端末装置１００の位置情報を取得する（ステップＳ１０８）。次に、アプリ実行部１３０は、タッチパネル１４０に表示される地図の縮尺情報を取得する（ステップＳ１１０）。次に、アプリ実行部１３０は、取得した縮尺に対応させた地図を表示するようにタッチパネル１４０を制御する（ステップＳ１１２）。
【００６３】
次に、アプリ実行部１３０は、端末装置１００の位置と、タッチパネル１４０に表示された地図に含まれる地点情報に含まれる特定の地点との距離を算出する（ステップＳ１１４）。次に、アプリ実行部１３０は、算出された距離が地図範囲に対応付けられた基準距離以内であるか否かを判定する（ステップＳ１１６）。算出された距離が基準距離以内である場合、アプリ実行部１３０は、特定の地点の関連情報の少なくとも一部をマスクして存在を知らせる画像を地図上に表示するようにタッチパネル１４０を制御する（ステップＳ１１８）。また、算出された距離が地図範囲に対応付けられた基準距離以内である場合、アプリ実行部は、特定の地点を知らせる画像を地図上に表示しない。
【００６４】
次に、アプリ実行部１３０は、地図情報提供処理を終了するか否かを判定する（ステップＳ１２０）。地図情報提供処理を終了しない場合、アプリ実行部１３０は、ステップＳ１０８の処理に戻る。また、地図情報提供処理を終了する場合、アプリ実行部１３０は、本フローチャートの処理を終了する。
【００６５】
以上説明したように第１の実施形態の地点情報提供システム１によれば、表示された地図上に特定の地点の関連情報の少なくとも一部をマスクして存在を知らせるアイコン４１０を表示することで、利用者の特定の地点への興味を喚起し、その地点に立ち寄る動機を与えることができる。すなわち、第１の実施形態の地点情報提供システム１によると、広域地図で見ると、その辺りに何かあることが分かるのであるが、詳細な地図で見ると、より近づかなければ位置が分からない。このような状況で、利用者には、特定の地点に立ち寄って何があるか見てみようという感情が喚起されることになる。また、特定の地点にある施設の運営者にとっても、経済上の利益が得られる場合がある。また、第１の実施形態によれば、特定の地点に対応付けたスタンプラリー等のサービスを提供したり、特定の地点の位置に向かった回数に応じた割引サービスを提供することができる。
【００６６】
［第２の実施形態］
次に、第２の実施形態について説明する。第２の実施形態では、地点情報提供部２３０が利用者の興味または嗜好の少なくとも一方に関する情報に基づいて地点情報を絞り込み、絞り込んだ地点情報を端末装置１００に送信する。以下、利用者の興味または嗜好の少なくとも一方に関する情報を興味嗜好情報と称する。
【００６７】
図９は、第２の実施形態の地点情報提供システム２の構成例を示す図である。地点情報提供システム２では、端末装置１００Ａにアプリ実行部１３０Ａを備え、サーバ装置２００Ａに地点情報提供部２３０Ａ、利用者情報２４８を備える。その他の構成要素の機能は、第１の実施形態と同様である。
【００６８】
図１０は、利用者情報２４８の内容の一例を示す図である。利用者情報２４８は、利用者ＩＤに、興味嗜好情報が対応付けられている。興味嗜好情報は、利用者により入力されたり、行動履歴情報２４６を参照して自動的に抽出されたりする情報である。
【００６９】
例えば、アプリ実行部１３０Ａは、地図および地点情報の提供サービスを実行中に、興味嗜好情報を設定する興味嗜好情報設定画面を表示するＧＵＩスイッチを画面に表示する。アプリ実行部１３０Ａは、興味嗜好情報設定画面を表示するＧＵＩスイッチの選択を受け付けると、タッチパネル１４０に興味嗜好情報設定画面を表示する。
【００７０】
図１１は、興味嗜好情報設定画面４０２の一例を示す図である。興味嗜好情報設定画面４０２には、例えば、予め設定された興味または嗜好に関する情報と、情報を選択するチェックボックスと、興味嗜好情報設定画面を終了するＧＵＩスイッチとを含む。アプリ実行部１３０Ａは、利用者により選択された興味嗜好情報をサーバ装置２００Ａに送信する。
【００７１】
地点情報提供部２３０Ａは、端末装置１００から趣味嗜好情報を受信した場合に、受信した趣味嗜好情報と、端末装置１００の利用者を識別する利用者ＩＤとを対応付けて、利用者情報２４８として記憶部２４０に記憶させる。
【００７２】
また、地点情報提供部２３０Ａは、行動履歴情報２４６を参照して、着目する利用者ＩＤについて、地点ＩＤに対する種別の頻度または回数が閾値以上のものを抽出し、抽出した種別を興味嗜好情報として、利用者情報２４８として記憶部２４０に記憶させてもよい。
【００７３】
地点情報提供部２３０Ａは、端末装置１００Ａから地点情報の取得要求があった場合に、その端末装置１００Ａの利用者ＩＤに基づいて利用者情報２４８を参照し、利用者ＩＤに対応する興味嗜好情報を抽出する。そして、地点情報提供部２３０Ａは、指定地点を基準にした所定範囲の地図に対応する地点情報のうち、興味嗜好情報に合致する種別を有する地点情報を抽出し、抽出した地点情報を端末装置１００に送信する。
【００７４】
アプリ実行部１３０は、地点情報提供部２３０Ａにより送信された地点情報に基づき、端末装置１００からの位置と、地点情報の位置との距離を算出し、算出した距離が基準距離以内である場合に、地点情報の存在を示すアイコンを表示するようにタッチパネル１４０を制御する。図１１の例では、興味嗜好情報として観光地が設定されているため、基準距離以内にあって、且つ種別が観光地である３つのアイコン４１０ａ〜４１０ｃが地図４００上に表示されている。
【００７５】
以上説明したように、第２の実施形態によれば、第１の実施形態と同様の効果を奏する他、例えば、利用者の興味嗜好情報に即した地点情報を利用者に提供することができる。
【００７６】
［第３の実施形態］
次に、第３の実施形態について説明する。第３の実施形態では、アプリ実行部１３０が、縮尺に基づく基準距離の代わりに、縮尺に基づく基準領域を設定し、端末装置１００が基準領域内である場合に、特定の地点の存在を示すアイコン４１０を表示する。その他の構成要素の機能は、第１の実施形態と同様である。
【００７７】
図１２は、基準領域に基づくアイコン４１０の表示制御について説明するための図である。図１２の例では、地図４００Ｂの縮尺が１／１００００である場合の基準領域４２０の設定例を示している。アプリ実行部１３０は、地図４００Ｂの縮尺分母が大きくなるのに応じて大きくなる基準領域４２０を設定する。基準領域４２０は、例えば、観光施設やテーマパーク等の領域に対応付けられた領域であり、第１、第２の実施形態と異なり、端末装置１００の位置を中心とした所定範囲の領域ではなく、テーマパークの中の領域分類に応じた領域である。例えば、アプリ実行部１３０は、縮尺分母が大きい第１の値である場合にテーマパーク全体を基準領域として設定し、縮尺分母が第１の値より小さい第２の値である場合（地図が拡大表示される場合）にテーマパーク内の遊園地エリアのみが基準領域として設定される。
【００７８】
アプリ実行部１３０は、端末装置１００の位置が基準領域４２０の外側である場合には、アイコン４１０を表示せずに、地図４００Ｂのみを表示するようにタッチパネル１４０を制御する。また、アプリ実行部１３０は、端末装置１００の位置情報が基準領域４２０の内側である場合に、基準領域４２０内にある特定の地点の存在を知らせるアイコン４１０ｄ〜４１０ｆを表示するようにタッチパネル１４０を制御する。
【００７９】
以上説明したように、第３の実施形態によれば、第１の実施形態と同様の効果を奏する他、基準領域に対応付けて特定の地点の存在を知らせるアイコンのオン・オフを切り替えることができる。したがって、例えば、利用者が観光地やテーマパーク等の施設領域内に入ったことを条件として、観光地やテーマパークのアトラクションやイベントの地点の存在を示すアイコンを表示させることができるため、アイコンが表示された地点への興味を更に喚起させることができる。
【００８０】
［第４の実施形態］
次に、第４の実施形態について説明する。第４の実施形態では、アプリ実行部１３０が、地図上に特定の地点の存在を知らせるアイコンを表示するのに代えて、撮像部１５０により撮像されたスルー画像上に特定の地点の存在を知らせるアイコンを表示する。その他の構成要素の機能は、他の実施形態と同様である。
【００８１】
撮像部１５０は、利用者からの撮像指示により画角に含まれる実空間を撮像する。アプリ実行部１３０は、撮像部１５０により撮像された実空間の画像を表示するようにタッチパネル１４０を制御する。また、アプリ実行部１３０は、撮像部１５０のカメラパラメータに含まれる撮像方向および撮像倍率を取得する。また、アプリ実行部１３０は、撮像画像を解析して画像中に含まれる建物や道路等の物体を認識する。また、アプリ実行部１３０は、位置特定部１２０により特定された端末装置１００の位置を基準に、撮像方向および撮像倍率から画角内に含まれる実空間上の位置を取得し、取得した位置と画像に含まれる物体の位置とを対応づけて、その物体の位置を取得する。また、アプリ実行部１３０は、取得した物体の位置に基づいて、ダウンロード地点情報１６６を参照し、画像に含まれる物体の位置に対応する地点情報が存在するか否かを判定する。
【００８２】
物体の位置に対応する地点情報が存在する場合、アプリ実行部１３０は、位置特定部１２０により特定された端末装置１００の位置と、地点情報の特定の地点との距離を算出し、算出した距離が、画角に基づく基準距離以内であるか否かを判定する。画角に基づく基準距離とは、画角が大きくなるのに応じて大きくなる距離である。
【００８３】
アプリ実行部１３０は、位置特定部１２０により特定された端末装置１００の位置と、特定の地点との距離が、基準距離以内である場合、撮像部１５０により撮像された撮像画像上に、特定の地点の関連情報の少なくとも一部をマスクして存在を知らせるアイコン４１０を重畳して表示するようにタッチパネル１４０を制御する。
【００８４】
図１３は、タッチパネル１４０に撮像画像４３０および特定の地点の存在を知らせるアイコン４１０ｇを表示した例を示す図である。アプリ実行部１３０は、撮像部１５０により撮像された撮像画像４３０に含まれる道路４４０Ａや建物４４０Ｂ〜４４０Ｅのうち、建物４４０Ｃの位置に特定の地点が対応付けられている場合、端末装置１００の位置から建物４４０Ｃまでの距離を算出する。そして、アプリ実行部１３０は、算出した距離が基準距離以内である場合に、特定の地点の存在を知らせるアイコン４１０ｇを建物４４０Ｃの位置に表示するようにタッチパネル１４０を制御する。また、算出した距離が、基準距離を超える場合、アプリ実行部１３０は、アイコン４１０ｄを表示しないようにタッチパネル１４０を制御する。
【００８５】
なお、アプリ実行部１３０は、撮像画像４３０上にアイコン４１０ｇを表示する表示パターンと、地図上にアイコン４１０ｇを表示する表示パターンとが切り替え可能となるようにタッチパネル１４０を制御してもよい。この場合、アプリ実行部１３０は、図１３に示すようにタッチパネル１４０に表示パターンを切り替える切替ボタン４５０等のＧＵＩスイッチを表示する。そして、アプリ実行部１３０は、表示された切替ボタン４５０による切り替え操作が受け付けられた場合に、表示パターンを切り替えるようにタッチパネル１４０を制御する。
【００８６】
以上説明したように、第４の実施形態によれば、第１の実施形態と同様の効果を奏する他、タッチパネル１４０に表示された実空間上の物体に対応付けてアイコン４１０ｄを表示することで、特定の地点を利用者に容易に把握させることができる。
【００８７】
［第５の実施形態］
次に、第５の実施形態について説明する。第５の実施形態では、アプリ実行部１３０がタッチパネル１４０において、地図上に目的地までの経路を表示したり、経路付近にある特定の地点に立ち寄るための寄り道経路を表示する。経路付近にある特定の地点とは、例えば、特定の地点から経路までの最短距離が所定距離以内の地点である。
【００８８】
図１４は、第５の実施形態の地点情報提供システム３の構成例を示す図である。地点情報提供システム３では、端末装置１００Ｂがアプリ実行部１３０Ｂを備え、サーバ装置２００Ｂが地図提供部２２０Ｂと地点情報提供部２３０Ｂと、経路探索部２５０とを備える。その他の構成要素の機能は、第１の実施形態と同様である。
【００８９】
例えば、ユーザ操作によりナビアプリ１６２が起動すると、アプリ実行部１３０Ｂは、タッチパネル１４０に目的地を入力する入力画面を表示し、入力画面から目的地の入力指示を受け付けることで、目的地を取得する。また、アプリ実行部１３０Ｂは、利用者の移動手段（例えば、徒歩、車両）に関する情報をタッチパネル１４０から入力画面から受け付けてもよい。アプリ実行部１３０Ｂは、目的地が設定された場合に、位置特定部１２０により特定される端末装置１００の位置と目的地とをサーバ装置２００Ｂに送信する。
【００９０】
サーバ装置２００Ｂの地図提供部２２０Ｂは、地図情報２４２を参照し、目的地と、端末装置１００の位置とを含む所定範囲の地図を取得し、取得した地図を端末装置１００Ｂに送信する。
【００９１】
地点情報提供部２３０は、地点情報２４４を参照し、地図提供部２２０Ｂにより取得した地図に含まれる地点情報を取得し、取得した地点情報を端末装置１００Ｂに送信する。
【００９２】
経路探索部２５０は、地図情報２４２を参照し、端末装置１００の位置から目的地までの経路を探索する。例えば、経路探索部２５０は、端末装置１００の現在位置から目的地までを最短時間または最短距離で走行する経路を取得する。また、経路探索部２５０は、例えば、現在位置から目的地までの最短時間の経路を基準として、最短時間から所定時間（例えば、３０［分］）を超えない範囲において、特定の地点付近を経由する寄り道経路を取得する。また、経路探索部２５０は、現在位置から目的地までの最短距離の経路を基準として、最短距離から所定距離（例えば、１０［ｋｍ］）を超えない範囲において、特定の地点付近を経由する寄り道経路を取得してもよい。経路探索部２５０は、最短時間または最短距離の経路およびその経路を基準とした寄り道経路と、それぞれの経路に対する到着までの残り時間および残りの走行距離を含む経路関連情報とを端末装置１００Ｂに送信する。
【００９３】
アプリ実行部１３０Ｂは、取得した最短時間または最短距離の経路、或いは、寄り道経路を地図上に表示するようにタッチパネル１４０を制御する。図１５は、最短時間で目的地に到着する経路の表示例を示す図である。アプリ実行部１３０Ｂは、利用者が目的地（Ｇ地点）までの経路検索を行った場合に、現在位置（Ｓ地点）とＧ地点とを含む地図４６０上に、検索された最短時間の経路４６２ａと、経路関連情報４６４ａを表示するように、タッチパネル１４０を制御する。
【００９４】
図１６は、特定の地点付近を経由する寄り道経路の表示例を示す図である。アプリ実行部１３０Ｂは、例えば、サーバ装置２００Ｂから送信された二つの特定の地点を経由する寄り道経路４６２ｂおよび経路関連情報４６４ｂを、地図４６０上に表示するように、タッチパネル１４０を制御する。また、アプリ実行部１３０Ｂは、二つの特定の地点が地図４６０の地図範囲に対応して大きくなる基準距離以内である場合、二つの特定地点の関連情報の少なくとも一部をマスクして存在を知らせるアイコン４１０ｈ、４１０ｉを地図４６０上に表示するようにタッチパネル１４０を制御する。
【００９５】
また、アプリ実行部１３０Ｂは、図１５に示す経路４６２ａおよび経路関連情報４６４ａと、図１６に示す経路４６２ｂ、経路関連情報４６４ｂ、およびアイコン４１０ｈ、４１０ｉとを所定の時間間隔で交互に切り替えて地図４６０上に表示するように、タッチパネル１４０を制御してもよい。また、アプリ実行部１３０Ｂは、経路切り替え用のＧＵＩスイッチを表示し、切り替え操作が受け付けられた場合に、地図４６０上の経路を切り替えるように、タッチパネル１４０を制御してもよい。また、アプリ実行部１３０Ｂは、経路４６２ａまたは４６２ｂの何れかが表示されている状態でタッチパネル１４０の画面がタップされたことを受け付けると、表示されている経路が決定されたと判定し、その経路を画面に表示するようにタッチパネル１４０を制御する。
【００９６】
以上説明したように、第５の実施形態によれば、第１の実施形態と同様の効果を奏する他、最短経路や最短時間に基づく経路を表示するだけでなく、特定の地点に立ち寄るための寄り道経路を表示することで、利用者の特定の地点への興味を喚起し、その地点に立ち寄る動機を与えることができる。
【００９７】
［第６の実施形態］
次に、第６の実施形態について説明する。第６の実施形態では、経路探索部２５０が利用者から受け付けた地点情報の種別および優先度の設定情報に基づいて旅程を生成し、生成した旅程に関する情報を表示する。旅程とは、例えば、現在位置から目的地まで移動する間に、少なくとも一つの特定の地点を通過するような行動プランである。その他の構成要素の機能は、他の実施形態（特に、第５の実施形態）と同様である。
【００９８】
アプリ実行部１３０Ｂは、種別および優先度に関する情報を設定させるための情報をタッチパネル１４０に表示させる。また、アプリ実行部１３０Ｂは、利用者により設定された種別および優先度に関する情報を取得する。
【００９９】
図１７は、種別および優先度の設定情報について説明するための図である。アプリ実行部１３０Ｂは、例えば図１７に示すレーダーチャートを表示するようにタッチパネル１４０を制御する。また、アプリ実行部１３０Ｂは、タッチパネル１４０により受け付けられたレーダーチャートの各項目に対する種別および各種別の優先度に関する設定情報を取得する。図１７の例では、八つの種別（宿泊、総時間、食事回数、テーマパーク、景色、観光、温泉、料金）と、それぞれの優先度が表されている。アプリ実行部１３０Ｂは、設定情報と、端末装置１００の位置と、目的地とをサーバ装置２００Ｂに送信する。
【０１００】
経路探索部２５０は、地図情報２４２を参照し、端末装置１００の位置から目的地までの経路を探索する。この場合、経路探索部２５０は、現在位置から目的地までの経路に対し、設定情報および地点情報に基づく旅程を生成する。旅程には、地点情報に対して利用者が滞在する滞在時間が含まれる。例えば、経路探索部２５０は、設定情報に含まれる種別の優先度が高いほど滞在時間を長く設定する。また、経路探索部２５０は、旅程の時間帯に応じて移動先の特定の地点を設定してもよい。例えば、朝や昼の時間帯である場合、アプリ実行部１３０Ｂは、種別が食事である特定の地点を設定する。特定の地点が複数ある場合、経路探索部２５０は、優先度の高い順に所定数の地点を選択してもよい。
【０１０１】
図１８は、経路探索部２５０が生成する旅程情報の一例を示す図である。図１８に示す旅程情報は、時刻と、到着地点と、滞在時間と、種別とが対応付けられている。到着地点は、特定の地点に対応した住所情報である。経路探索部２５０は、図１８に示す旅程情報および旅程情報に対応する経路を生成し、生成した旅程情報および経路を端末装置１００Ｂに送信する。
【０１０２】
アプリ実行部１３０Ｂは、例えば、図１８に示す旅程情報を表示するようにタッチパネル１４０を制御する。また、アプリ実行部１３０Ｂは、地図上に旅程情報に対応する経路を表示するようにタッチパネル１４０を制御してもよい。
【０１０３】
以上説明したように、第６の実施形態によれば、第５の実施形態と同様の効果を奏する他、利用者により設定された設定情報に対応させた旅程を提供することができる。なお、上述した第１〜第６の実施形態は、他の実施形態の一部または全部と組み合わせてもよい。
【０１０４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【図１】
2018230656.tif 000003
【図２】
2018230656.tif 000004
【図３】
2018230656.tif 000005
【図４】
2018230656.tif 000006
【図５】
2018230656.tif 000007
【図６】
2018230656.tif 000008
【図７】
2018230656.tif 000009
【図８】
2018230656.tif 000010
【図９】
2018230656.tif 000011
【図１０】
2018230656.tif 000012
【図１１】
2018230656.tif 000013
【図１２】
2018230656.tif 000014
【図１３】
2018230656.tif 000015
【図１４】
2018230656.tif 000016
【図１５】
2018230656.tif 000017
【図１６】
2018230656.tif 000018
【図１７】
2018230656.tif 000019
【図１８】
2018230656.tif 000020
【国際調査報告】
2018230656.tif 000021
2018230656.tif 000022
2018230656.tif 000023